(57)【特許請求の範囲】
【請求項１】
相手コネクタとの嵌合方向に延びてハウジングに形成された筒状の周面を有する取付部の該周面を全周で覆う筒状のシールドケースが取りつけられ、該シールドケースが上記取付部の周方向での一つの金属板の屈曲により端部同士で近接して筒状をなしているシールドケース付電気コネクタにおいて、ハウジングは端子を保持する端子保持体が二種類のコネクタを一体化して形成され、この二種類のコネクタの境界部の外面に上記嵌合方向に延びる保持溝が形成され、シールドケースは上記端部で板厚方向に屈曲された屈曲縁が上記保持溝に対応する位置で上記嵌合方向における先方側の位置で該嵌合方向に延びて設けられており、上記屈曲縁を保持溝に進入せしめながら上記シールドケースがハウジングへ装着されて、上記屈曲縁が上記保持溝で保持されていることを特徴とするシールドケース付電気コネクタ。
【請求項２】
ハウジングの取付部は角筒状外周面を成し、シールドケースがこの外周面に装着されていることとする請求項１に記載のシールドケース付電気コネクタ。
【請求項３】
ハウジングの取付部に形成された保持溝は、対向内面間の幅が内方に向け大きくなる蟻溝状に形成され、シールドケースの屈曲縁は上記保持溝の対向内面に適合する形状に屈曲形成されていることとする請求項１に記載のシールドケース付電気コネクタ。
【発明の詳細な説明】
【０００１】
【発明の属する技術分野】
本発明は電気コネクタの技術分野に属し、特にシールドケースを有する電気コネクタに関する。
【０００２】
【従来の技術】
この種の電気コネクタは、数多く知られており、一例として特開平７−２２０８０３に開示されているものが挙げられる。
【０００３】
この公知のコネクタ５０は、添付図面の図４のごとく、ハウジング５１の前部に形成された四角筒状外周面をもつ嵌合部５２を有している。この嵌合部５２には、前方に開口した端子保持孔５３が形成されていて、この端子保持孔５３内に端子５４が植設されている。図ではこの端子５４の先端が端子保持孔５３の開口部に見えている。
【０００４】
上記嵌合部５２にはシールドケース６０が取りつけられる。シールドケース６０は、金属板を筒状に周方向に屈曲成形されて作られており、接合端面にて接合されている。この接合端面には舌片部６１と、これに適合せる切欠部６２とを有し、両者の嵌合により接合を確実にしている。このシールドケース６０は、一方の開口縁に鏃状のロック片６３が設けられており、その後方には切り起こされた弾性接触片６４を有している。
【０００５】
ハウジング５１には上記嵌合部５２の基部にスリット５５が該嵌合部５２の周囲に形成されており、上記シールドケース６０は上記ロック片６３そして弾性接触片６４の位置する範囲が上記スリット５５内に挿入されて上記嵌合部５２の外周面を完全に覆うようになる。ハウジング５１内では、上記ロック片６３は対応係止部と係止して抜けの防止を図り、弾性接触片６４は対応部位と弾性接触する。
【０００６】
【発明が解決しようとする課題】
しかしながら、上記の公知のシールドケースは、ハウジングの嵌合周面と密着しなくなって開いてしまったり、あるいは外れてしまったりして、シールド効果の低下をまねく虞れがある。
【０００７】
上記シールドケース６０は、ハウジング５１のスリット５５内に収められている部分は比較的しっかりと保持されている。しかし、ハウジングの嵌合部５２の外周面を覆っている部分は外側からの抑えがなく、しかも、接合は板厚でのみなされているので接合強度が低く、シールドケースの屈曲成形に対する弾性戻りによる開きや使用時の相手コネクタによるこじり等により、上記接合が外れ易い。この接合が外れれば、当然そこに隙間が生じて、その分だけシールド効果が低下する。又、相手コネクタとの嵌合にも不具合が生ずる。
【０００８】
本発明は、簡単な構造で容易に製作組立ができ、開きや外れが生じることがないシールドケースを有する電気コネクタを提供することを目的とする。
【０００９】
【課題を解決するための手段】
本発明に係るシールドケース付電気コネクタは、相手コネクタとの嵌合方向に延びてハウジングに形成された筒状の周面を有する取付部の該周面を全周で覆う筒状のシールドケースが取りつけられ、該シールドケースが上記取付部の周方向での一つの金属板の屈曲により端部同士で近接して筒状をなしている。
【００１０】
かかるシールドケース付電気コネクタにおいて、本発明では、ハウジングは端子を保持する端子保持体が二種類のコネクタを一体化して形成され、この二種類のコネクタの境界部の外面に上記嵌合方向に延びる保持溝が形成され、シールドケースは上記端部で板厚方向に屈曲された屈曲縁が上記保持溝に対応する位置で上記嵌合方向における先方側の位置で該嵌合方向に延びて設けられている。そして、上記屈曲縁を保持溝に進入せしめながら上記シールドケースがハウジングへ装着される。その結果、上記屈曲縁が上記保持溝で保持されるようになる。
【００１２】
ハウジングの取付部が角筒状外周面を成しているときには、シールドケースはこの外周面に装着される。
【００１３】
又、保持溝での屈曲縁の保持をさらに確実ならしめるためには、ハウジングの取付部に形成された保持溝は、対向内面間の幅が内方に向け大きくなる蟻溝状に形成され、シールドケースの屈曲縁は上記保持溝の対向内面に適合する形状に屈曲形成されていることが好ましい。
【００１４】
【発明の実施の形態】
以下、添付図面にもとづき、本発明の実施の形態を説明する。
【００１５】
図１は本実施形態の電気コネクタ１０の主要部と相手コネクタ２０とを示す断面図である。
【００１６】
コネクタ１０は、絶縁材で作られた端子保持体１２とカバー体１３から成るハウジング１１を有している。端子保持体１２は、肉厚な基部１２Ａと該基部１２Ａから延出する突出部１２Ｂとを有し、両部の外面には図２にも見られるような一つの金属板を屈曲加工して得られるシールドケース１４が取りつけられている。この突出部１２Ｂはシールドケースの取付部として機能する。該シールドケース１４は、図２にも見られるように、上記突出部１２Ｂの前方からＡ方向に嵌着される。ここで、図２はコネクタ１０のハウジング１１とシールドケース１４の要部とを示し、注意すべきことは、この図２が図１のものとは、説明の都合上、上下が逆の状態で示されている。又、図２において、I-IそしてIII-III線での上下を逆とする断面図がそれぞれ図１そして図３として示されている。
【００１７】
端子保持体１２は、図２のごとく、コネクタ１０の幅方向において、二種のコネクタを一体にもつように区分され、一つは同軸コネクタ部１５そしてもう一つは多極コネクタ部１６となっている。これらのコネクタの内部における端子の構造あるいはその接続形態は本発明の主眼たるところではないので、その説明は簡単に行なう。図２のごとく、同軸コネクタ部１５は角筒孔部１５Ａが形成されていて、ここに中心導体そして外部導体（共に図示せず）が収容されており、この角筒孔部１５Ａ内へ相手コネクタの同軸コネクタ部が嵌入される。多極コネクタ部１６は、図３に見られるように、金属板を抜き加工した端子１７が孔部１８内に複数収められている。この孔部１８は、図３に見られるように、前面開口部で、端子１７の先端を支持する支持部１８Ａをもつ窓状をなしている（図２では上部、図３では下部で窓状をなしている）。端子１７は上記孔部１８の後方から挿入され、その後部に設けられた係止突起１７Ａが該孔部１８の面に喰い込んで抜けの防止が図られる。上記端子１７は、弾性腕部１７Ｂの前部に突状の接触部１７Ｃを有し、後端側にケーブルとの結線が行なわれる接続部１７Ｄが設けられている。上記腕部１７Ｂの先端１７Ｅは予圧をもつように予め若干の弾性変形の状態で支持部１８Ａで接圧をもって支持されている。そして上記接触部１７Ｃの頂部が上記支持部１８Ａを越えて位置している。
【００１８】
上記端子保持体１２は、図２のごとく、上記同軸コネクタ部１５と多極コネクタ部１６との境界部に、外面に開放されコネクタの挿入方向に延びる保持溝１９が形成されているので、端子１７の配列には支障がない。本実施形態では、好ましい形態として、溝奥部が溝開縁部よりも溝幅が広い、いわゆる蟻溝状となっている。
【００１９】
上記シールドケース１４は、ハウジングの端子保持体１２を周方向に包囲するように屈曲形成されており、両側端部が近接又は接合されて筒状をなしている。図１そして図３からも判るように、該シールドケース１４は、端子保持体１２の突出部１２Ｂと基部１２Ａのそれぞれ外周面に接面するように適合した前筒部１４Ｂと後筒部１４Ａとを有する段状筒体となっている。
【００２０】
相手コネクタとの嵌合方向における先方側に位置する上記前筒部１４Ｂには、図１及び図２に見られるように、シールドケースの接合部の一部に、屈曲縁１４Ｃが形成されている。この屈曲縁１４Ｃは、上述の蟻溝状の保持溝１９の対向溝内面に係合するように、内側に向け若干の拡がりをもっている。又、シールドケース１４は、後筒部１４Ａが端子保持体１２の基部１２Ａよりも後方に延びて形成されている。かかるシールドケース１４は、前方から上記端子保持体１２に嵌着されるが、その際、上記屈曲縁１４Ｃが蟻溝状の保持溝１９に進入して確実に保持され、接合部での拡がりによる離間を生じない。
【００２１】
かかるシールドケース１４が取りつけられた端子保持体１２は、基部１２Ａの部分そしてそれより後方部分で、図１そして図３に見られるように、半分割形成されている二つのカバー体１３で上下から挟持され、この二つのカバー体１３を、例えば、ねじ止めすることにより、これらが一体化される。
【００２２】
上記コネクタ１０に接続される相手方たるコネクタ２０も、同軸コネクタ部と多極コネクタ部とを有しているが、図１そして図３には多極コネクタ部での断面が示されている。該コネクタ２０はハウジング２１の基部２２から板状に延出する配列板部２３を有し、該基部２２にシールドケース２４が取りつけられている。上記基部２２はシールドケースの取付部として機能する。該シールドケース２４は、後述するように、上記配列板部２３の周りに空間を形成するように包囲しかつ該配列板部２３よりも前方位置までに延びており、このシールドケース２４内に上述のコネクタ１０のシールドケース付の突出部１２Ｂを受け入れるようになっている。上記ハウジングの配列板部２３は、図２にて上記コネクタ１０の孔部１８の下方側の幅方向連通部分（支持部１８Ａに対し下側の空間）に進入するようになっている。上記配列板部２３には、コネクタ１０の多極コネクタ部の端子１７に対応する位置に端子２５の接触部２５Ａが位置している。上記コネクタ１０のシールドケース１４は、シールドケース２４の切起し接触片２４Ｃと弾性接触する。
【００２３】
この接触部２５Ａの先端部２５Ｂは丸味をもって屈曲されており、配列板部２３の前端面の一部を覆っている。該端子は中間位置でクランク状に屈曲されていて後端部はハウジング外で接続部２５Ｃをなしている。なお、ハウジングの基部の底面から下方に位置決めのためのピン２２Ａが設けられている。かかる端子２５はハウジングの後方から挿入された後に上記先端２５Ｂが屈曲せられ、又、係止突起２５Ｄがハウジングの挿入溝に係止して抜け防止が図られる。
【００２４】
シールドケース２４は、基本的には、上記コネクタ１０のシールドケース１４と同様に筒状に作られ、周方向両側端部が接合されている。該シールドケース２４の接合部は後部に、シールドケース１４と同様な、屈曲縁２４Ａを有しており、この屈曲縁がハウジングの基部２２に形成された保持溝２２Ｂ内に進入して保持されている。又、上記シールドケース２４は、前部開口縁に、四辺でそれぞれ外側に丸味をもって外側へ拡がる導入部２４Ｂを有している。さらに、このシールドケース２４は、内側に突出する弾性接触片２４Ｃ、そして下方に突出する接続部２４Ｄをも有している。かかるシールドケース２４は、ハウジングの前方から該ハウジングの基部２２へ嵌着され、その際、屈曲縁２４Ａは上記基部２２の保持溝２２Ｂへ進入し、ここで保持される。上記保持溝２２Ｂが蟻溝状で、屈曲縁２４Ａがこれに適合する拡がりをもっていれば、その保持はさらに強固となる。
【００２５】
本発明のシールドケースの屈曲縁による保持形態は、図示の例のごとく、一方のコネクタ１０のみならず相手コネクタ２０にも適用できる。両者のシールドケースをこの本発明に依る必要はないが、少なくとも、強度上、接合部分が開いてしまう虞れのある方のコネクタに適用すれば十分である。
【００２６】
次に、接合部分及び屈曲縁であるが、これらは筒状に屈曲成形した金属板の両側端部にて互いに接面している必要もなく、近接していれば十分であり、この点で製作誤差の緩和が図れる。その場合、屈曲縁は図２のごとく蟻溝状の保持溝に適合するように拡がって適合する形状を有し、コネクタの嵌合方向でこの保持溝へ進入するようになることが望まれる。本発明の実施例は、蟻溝状の保持溝であるが、これに限らず、単に角溝であっても良い。この場合、圧入又は折り曲げ等により固定しているのが好ましい。
【００２７】
又、本発明は、シールドケースを上記屈曲縁をハウジング（例えば、図１の突出部）の周面に対して直角方向から保持溝へ圧入されるようにしてもよい。このようなシールドケースは、この屈曲縁の部分だけ若干外方へ撓ませ筒状を大きくしておいてから、上記突出部に対して所定位置に嵌められ、しかる後、上記屈曲縁がその先端縁から保持溝へ圧入される。
【００２８】
さらに、本発明は、シールドケースをハウジングの外周面に設けることなく、ハウジングが内部を中空とする筒状部を有し、この筒状部の内面にシールドケースを設けることもできる。この場合、保持溝は筒状部の肉厚を利用して該筒状部の内面に形成され、屈曲縁は外方に向け設けられる。
【００２９】
【発明の効果】
本発明は、以上のごとく、シールドケースの屈曲形成時に接合端部もしくは近接端部に屈曲縁を設け、これをハウジングの肉厚部たる二種類のコネクタの境界部に形成された保持溝で保持させることとしたので、簡単な構造で高強度なものを容易に製作組立ができ、弾性戻りによる開きあるいは使用時の相手コネクタのこじりによる外れといった不具合を回避できるという効果をもたらす。
【図面の簡単な説明】
【図１】本発明の一実施形態としてのコネクタ対の結合前の断面図である。
【図２】図１のコネクタ対のうちの一方を示し、シールドケースの取付前での斜視図である。
【図３】図２おけるIII-III断面図である。
【図４】従来のコネクタのシールドケース取付前での斜視図である。
【符号の説明】
１０  コネクタ
１１  ハウジング
１２  取付部（突出部）
１４  シールドケース
１４Ｃ  屈曲縁
１９  保持溝
２０  コネクタ
２１  ハウジング
２２  取付部（基部）
２２Ａ  保持溝
２４  シールドケース
２４Ａ  屈曲縁
【図１】
0004093444.tif 000002
【図２】
0004093444.tif 000003
【図３】
0004093444.tif 000004
【図４】
0004093444.tif 000005